(57)【要約】【課題】紙の強度の向上を図るとともに、デザイン性の向上および創作の自由度の向上を図ることができる造花の提供。【解決手段】造花１は、和紙４と接着剤５とを有する花弁（造花体）２を備える。花弁２は、和紙４と同一の面積、または和紙４よりも小さい面積を有する布６を備え、和紙４を布６の両面に接着剤５にて貼り付け、布６を和紙４にて挟み込むようにして形成されている。布６は、和紙４にて覆われている。これにより、花弁２は、保形性が低い和紙４であっても、千切れや、裂け、破れを防ぎ、その強度および保形性を向上させることができる。また、花弁２の布６は和紙４にて覆われているため、造花１は、和紙４のみで形成されているようにみせることができ、美観を損ねることなくデザイン性の向上および創作の自由度の向上を図ることができる。【選択図】図２
2019199654.tif 000002
【特許請求の範囲】
【請求項１】
造花は、紙と接着剤とを有する造花体を備え、
前記造花体は、
前記紙と同一の面積、または前記紙よりも小さい面積を有する布を備え、
前記紙を前記布の両面に前記接着剤にて貼り付け、前記布を前記紙にて挟み込むようにして形成され、
前記布は、
前記紙にて覆われていることを特徴とする造花。
【請求項２】
請求項１に記載された造花において、
前記造花体は、
前記紙と前記布と前記接着剤とを一体にした状態で透光性を有することを特徴とする造花。 
【発明の詳細な説明】
【技術分野】
【０００１】
本発明は、造花に関する。
【背景技術】
【０００２】
従来、紙と接着剤とを有する造花体を備える造花が知られている。造花体は、造花における花弁や葉、茎などである。例えば特許文献１に記載の造花の人工葉（造花体）は、和紙（紙）と、細布糸を網目状にした素材（布）と、で構成されている。人工葉は、細布糸を網目状にした素材を和紙の表面に一般的なのりで貼着している。人工葉は、細布糸を網目状にした素材を和紙の表面に貼着することで、和紙に自然な湾曲をつけることができ、その形状を長期に亘って保つことができる。人工葉は、細布糸を網目状にした素材を人工葉の表側に配置することで、人工葉の繊維の形状を細布糸で表現することができ、外観的にも自然の葉に近似させることができる。また、特許文献２に記載の和紙製造花は、複数枚の和紙（紙）を接着剤にて接合した素材により形成されている。
【先行技術文献】
【特許文献】
【０００３】
【特許文献１】公開実用昭和５４−００９７８８号公報
【特許文献２】公開実用昭和６０−０７１６２４号公報
【発明の概要】
【発明が解決しようとする課題】
【０００４】
ここで、和紙は、保形性が低く、複数枚を接着剤で接合したとしても、千切れやすく、裂けやすく、破れやすいという問題がある。これに対し、特許文献１の人工葉は、細布糸を網目状にした素材を和紙の表面に貼着しているため、細布糸により千切れや、裂け、破れを防ぐことができる。しかし、和紙と細布糸を網目状にした素材とは別素材であり、それぞれのもとに戻ろうとする力が異なる。このため、人工葉では、和紙と細布糸を網目状にした素材とがそれぞれ別の方向に向かって剥がれてしまうという問題がある。また、和紙のみで造花を形成したい場合、細布糸を網目状にした素材が外部に露出していると、和紙の美観を損ねてしまうという問題がある。
【０００５】
本発明の目的は、紙の強度の向上を図るとともに、デザイン性の向上および創作の自由度の向上を図ることができる造花を提供することである。
【課題を解決するための手段】
【０００６】
本発明の造花は、紙と接着剤とを有する造花体を備え、造花体は、紙と同一の面積、または紙よりも小さい面積を有する布を備え、紙を布の両面に接着剤にて貼り付け、布を紙にて挟み込むようにして形成され、布は、紙にて覆われていることを特徴とする。
【０００７】
このような本発明によれば、造花体は、紙を布の両面に接着剤にて貼り付けて形成されているため、例えば保形性が低い和紙であっても、千切れや、裂け、破れを防ぐとともに、その強度を向上させることができる。また、造花体における布は、紙と同一の面積、または紙よりも小さい面積を有するため、その面積において、紙の保形性を向上させることができる。
【０００８】
さらに、造花体は、紙を布の両面に接着剤にて貼り付け、布を紙にて挟み込むようにして形成され、布は、紙にて覆われているため、布を造花体の外部に露出させることなく造花体を形成することができる。したがって、造花は、紙のみで形成されているようにみせることができるため、美観を損ねることなくデザイン性を向上させることができる。また、本来、紙のみでは強度や保形性の点から創作することができない作品を創作することができるため、造花は、創作の自由度を向上させることができる。
【０００９】
この際、造花体は、紙と布と接着剤とを一体にした状態で透光性を有することを特徴とする。
【００１０】
このような構成によれば、造花は、紙の風合いや造花体を透過する光を生かした創作ができるため、デザイン性の向上および創作の自由度の向上を図ることができる。
【図面の簡単な説明】
【００１１】
【図１】第１実施形態に係る造花を示す斜視図
【図２】第１実施形態に係る花弁を示す断面図
【図３】第１実施形態に係る花弁の作成方法を示す図
【図４】第２実施形態に係る花弁の作成方法を示す図
【発明を実施するための形態】
【００１２】
〔第１実施形態〕
以下、本発明の第１実施形態を図１〜図３に基づいて説明する。
図１は、第１実施形態に係る造花を示す斜視図である。
造花１は、図１に示すように、造花体である花弁２と、茎３と、を備える。茎３は、芯である図示しない針金と、和紙と、を備える。茎３は、針金を和紙で覆うように形成されている。
花弁２は、造花１において複数枚用いられ、紙である和紙４を備える。和紙４は、透光性を有する。
【００１３】
和紙４は、薄くとも強靭であり、千年以上もつともいわれる優れた保存性を有し、独特の風合いをもつことから、照明器具やインテリア、アクセサリ、工芸品、家具の部材などに使用されている。造花１は、花弁２の表面や裏面など、全方向のどの角度から見ても、和紙４のみから形成されているように視認される。
【００１４】
図２は、第１実施形態に係る花弁を示す断面図である。具体的には、図２は、図１におけるＡ−Ａ断面の花弁２の断面図である。
図２に示すように、花弁２は、和紙４と、接着剤５と、和紙４と同一の面積を有する布６と、を備える。花弁２は、和紙４と接着剤５と布６とを一体にした状態で透光性を有する。このため、例えば花弁２をライトＬにかざした場合、ライトＬの光は、花弁２を介して視認することができる。花弁２は、接着剤５を介して布６を和紙４にて挟み込むように、積層されて形成されている。
【００１５】
接着剤５は、デンプン糊（デンプン系接着剤）である。デンプン糊は、植物由来のデンプンを主成分とする溶液系の接着剤であり、デンプンを糊化させ、水分を蒸発させることで硬化する。デンプン糊は、硬化することで和紙４および布６を接着する。また、硬化したデンプン糊は、水分を含ませることで軟化する。この際、デンプン糊が軟化することでデンプン糊の粘性も回復するため和紙４と布６とは剥離したり分離したりしない。軟化したデンプン糊は、水分を蒸発させることで再び硬化する。デンプン糊は、軟化時は白濁しているが、硬化することで略透明になる。
【００１６】
布６は、絹糸を目の粗い平織りにした布であり、粗い目の部分より光を透過する。布６の絹糸は非常に細いため、布６は、花弁２をライトＬにかざした場合、和紙４により視認することはできない。したがって、ライトＬの光は、和紙４だけを透過してきた光のように視認される。
【００１７】
また、布６は色を有し、本実施形態では赤色を有している。花弁２は、ライトＬにかざしていない場合、和紙４が有する色（例えば白色）が視認される。これに対して、花弁２は、ライトＬにかざした場合、和紙４の白色と布６の赤色とが合わさり、桃色の花弁２として視認される。したがって、花弁２は、布６が有する色により、ライトＬにかざした場合とライトＬにかざしていない場合とで異なる色調を表現することができる。これにより、造花１は、花弁２の透光性を生かしてライトＬによる色調の変化を表現することができ、創作の自由度の向上を図ることができる。なお、布６は赤色ではなく、他の色を有していてもよい。また、布６は、色彩による模様を有していてもよいし、無色であってもよいし透明であってもよい。
【００１８】
図３は、第１実施形態に係る花弁の作成方法を示す図である。具体的には、図３（Ａ）は、花弁２を形成するための台紙７の作成方法であり、図３（Ｂ）は、台紙７から花弁２を作成する方法である。
以下、図３を用いて、花弁２の作成方法を説明する。
【００１９】
花弁２は、図３に示すように、台紙７より作成される。創作者は、図３（Ａ）に示すように、先ず、台紙７に用いる２枚の和紙４と、和紙４と略同一の面積を有する布６と、を用意する。次に、創作者は、布６が和紙４にて挟み込まれた状態となるように、接着剤５を１枚目（紙面上方向側）の和紙４の一面に塗布し、１枚目の和紙４を布６の一面に貼り付ける。この際、創作者は、接着剤５を和紙４に対して刷毛で塗り広げてもよいし、手で塗り広げてもよい。また、接着剤５は、和紙４の一面に塗布されることが好ましいが、和紙４と布６とが互いに異なる方向に向かって剥離しなければ、縁だけ、あるいは一部のみに塗布されてもよい。
【００２０】
続いて、創作者は、接着剤５を２枚目（紙面下方向側）の和紙４の一面に塗布し、１枚目の和紙４を貼り付けた布６の一面とは反対側の布６の一面に、２枚目の和紙４を貼り付ける。このように台紙７を作成することで、布６は和紙４にて挟み込まれた状態となる。
【００２１】
ここで、前述の台紙７の作成方法は、和紙４よりも布６がやわらかい場合の作成方法である。これに対して、布６よりも和紙４がやわらかい場合は、創作者は、接着剤５を和紙４ではなく布６の両面に塗布し、和紙４を布６の両面に貼り付ける。すなわち、創作者は、和紙４と布６とを比較したときに、材質として堅い方に接着剤５を塗布する。和紙４または布６がやわらかい場合、創作者は、接着剤５の塗り広げることが困難であり、和紙４がやわらかい場合は、和紙４が破けてしまうこともあるからである。
【００２２】
台紙７の接着剤５の水分が蒸発して硬化した後、創作者は、図３（Ｂ）の点線のように、花弁２の形状を鉛筆やペン等で決定する。創作者は、はさみやカッター等を用いて、点線に沿って台紙７から切り出すことで、花弁２を作成する。なお、創作者は、鉛筆やペン等で花弁２の形状を決定せずに、直接、台紙７より花弁２を切り出してもよい。創作者は、１つの台紙７から複数枚の花弁２を切り出すことができる。台紙７から花弁２を切り出すことで、布６は、和紙４と同一の面積であり、同一の形状を有するように形成される。
【００２３】
台紙７より切り出された花弁２は、例えば霧吹きで湿らせることで、接着剤５が水分を含み、軟化する。このため、創作者は、花弁２に水分を含ませることで、簡単に花弁２に手で凹凸をつけることができる。創作者は、水分を含ませて軟化させた花弁２を手で凹凸をつけて立体的に成型する。なお、軟化した花弁２は、手ではなく、コテやヘラ等、道具を用いて所望の形状に成型してもよい。
【００２４】
所望の形状に成型された花弁２は、乾かすことで硬化する。これにより、花弁２は、和紙４のみで作成されたときよりも保形性が向上するだけでなく、強度も向上する。また、花弁２の布６は、和紙４に挟み込まれて外部に露出しないので、創作者は、花弁２を和紙４のみで作成したようにみせることができる。このため、花弁２は、和紙４による創作の幅を広げることができる。花弁２は、透光性を有するため、例えば照明器具を造花１の中に設置したり、造花１を照明器具（インテリア）の装飾品として用いることができる。
【００２５】
このような本実施形態によれば、以下の作用・効果を奏することができる。
（１）花弁２は、和紙４を布６の両面に接着剤５にて貼り付けて形成されているため、保形性が低い和紙４であっても、千切れや、裂け、破れを防ぐとともに、その強度を向上させることができる。
（２）花弁２における布６は、和紙４と同一の面積を有するため、その面積において、和紙４の保形性を向上させることができる。
【００２６】
（３）花弁２は、和紙４を布６の両面に接着剤５にて貼り付け、布６を和紙４にて挟み込むようにして形成され、布６は、和紙４にて覆われているため、布６を花弁２の外部に露出させることなく花弁２を形成することができる。したがって、造花１は、和紙４のみで形成されているようにみせることができるため、美観を損ねることなくデザイン性を向上させることができる。
（４）造花１は、本来、和紙４のみでは強度や保形性の点から創作することができない作品を創作することができるため、創作の自由度を向上させることができる。
（５）造花１は、和紙４の風合いや花弁２を透過する光を生かした創作ができるため、デザイン性の向上および創作の自由度の向上を図ることができる。
【００２７】
〔第２実施形態〕
以下、本発明の第２実施形態を図４に基づいて説明する。なお、以下の説明では、既に説明した部分については、同一符号を付してその説明を省略する。
【００２８】
前記第１実施形態では、台紙７から切り出された花弁２における布６は、和紙４と同一の面積を有していた。
本実施形態では、造花１Ａの花弁２Ａにおける布６Ａは、和紙４よりも小さい面積を有する点で前記第１実施形態と異なる。また、花弁２Ａは、布６Ａの外周において布６Ａを挟まず、接着剤５を介して和紙４と和紙４とを貼り付けた領域がある点で前記第１実施形態と異なる。
【００２９】
図４は、第２実施形態に係る花弁の作成方法を示す図である。具体的には、図４（Ａ）は、花弁２Ａを形成するための台紙７Ａの作成方法であり、図４（Ｂ）は、台紙７Ａから花弁２Ａを作成する方法である。
以下、図４を用いて、花弁２Ａの作成方法を説明する。
【００３０】
造花体である花弁２Ａは、図４に示すように、台紙７Ａより作成される。創作者は、図４（Ａ）に示すように、先ず、台紙７Ａに用いる２枚の和紙４と、２枚の和紙４よりも小さい面積を有する布６Ａと、を用意する。次に、前記第１実施形態と同様に、創作者は、花弁２Ａにおいて布６Ａが和紙４にて挟み込まれた状態となるように、接着剤５を塗布して２枚の和紙４と布６Ａとを貼り付ける。
【００３１】
ここで、和紙４は、水分を含ませることで簡単に千切ることができる。千切られた和紙４の縁は、はさみやカッター等で切り取った場合と異なり、和紙４の繊維により毛羽立った状態となる。例えば水を含ませた筆などを用いて、和紙４に水分を含ませて和紙４の縁を毛羽立たせて和紙４を千切る方法を水切りという。
【００３２】
続いて、接着剤５で和紙４と布６Ａとを接着した後、創作者は、図４（Ｂ）の点線のように、布６Ａよりも外周に花弁２Ａの縁（輪郭）が来るように、花弁２Ａの形状を鉛筆やペン等で決定する。創作者は、点線に沿って、水を含ませた筆で点線部分を湿らせる。そして、創作者は、点線に沿って千切って水切りをすることで、和紙４の縁を毛羽立たせて、台紙７Ａから花弁２Ａを作成することができる。
【００３３】
なお、創作者は、花弁２Ａの形状を鉛筆やペン等で決定せずに直接、台紙７Ａより水切りしてもよい。また、創作者は、台紙７Ａからではなく、あらかじめ水切りにより和紙４を花弁２Ａの形状に成型した後、布６Ａが和紙４にて挟み込まれた状態となるように、接着剤５を塗布して２枚の和紙４と布６Ａとを貼り付けてもよい。
創作者は、このように花弁２Ａを作成することで、より和紙４の風合いを生かして造花１Ａを作成することができる。
【００３４】
このような本実施形態においても、前記第１実施形態と同様の作用、効果を奏することができる他、以下の作用、効果を奏することができる。
（６）花弁２Ａは、和紙４よりも小さい面積を有する布６Ａを用いることで、布６Ａを花弁２Ａの外部に露出させず、かつ、和紙４の縁を毛羽立たせ、和紙４の風合いを生かすことができる。したがって、造花１Ａは、デザイン性の向上および創作の自由度の向上を図ることができる。
【００３５】
〔実施形態の変形〕
なお、本発明は、前記各実施形態に限定されるものではなく、本発明の目的を達成できる範囲での変形、改良等は本発明に含まれるものである。
例えば、前記各実施形態では、造花体は花弁２，２Ａであったが、造花体は花弁だけでなく葉や茎、花柱、花糸、がく片などであってもよい。また、造花は、一部に造花体を備え、他の部分に造花体ではない部位を備えていてもよい。例えば、造花体による花弁と、セロファンや金箔など他の部材による花弁と、を組み合わせて造花を作成してもよいし、造花体による花弁と、他の部材による葉と、を組み合わせてもよい。要するに、造花は、本発明の造花体を備えていればよい。
【００３６】
前記各実施形態では、紙は和紙４であったが、和紙ではなく、表面に漆を塗ったり蝋を染み込ませたり等して加工された紙（機械漉和紙など）や、竹紙、羊皮紙、衛生用紙（ティッシュペーパやトイレットペーパ等）、雑種紙（トレーシングペーパ、合成紙、絶縁紙、剥離紙、ライスペーパ等）、新聞用紙、不織布などであってもよい。要するに、造花体において、布を挟み込むようにして布の両面に貼り付けられる紙は、紙であればどのようなものであってもよい。
【００３７】
また、前記各実施形態では、花弁２，２Ａにおける和紙４は、布６，６Ａに対して２枚用いられていたが、２枚以上でもよく、紙の上にさらに紙を重ねて貼り付けてもよい。また、前記第２実施形態では、花弁２Ａにおける和紙４は、水切りにより縁を毛羽立たせていたが、はさみやカッター等で台紙７Ａから切り取り、縁を毛羽立たせなくてもよい。要するに、紙にどのような加工を施すかは創作者の自由である。
【００３８】
前記各実施形態では、接着剤５はデンプン糊であったが、デンプン糊ではなく、ゴム糊（天然ゴム系接着剤や天然ゴムラテックス接着剤など）や、カゼイン接着剤、酢酸ビニル樹脂エマルジョン接着剤、ポリビニルアルコール系接着剤、膠などであってもよい。要するに、接着剤は、造花が備える造花体において、布の両面に紙を貼り付けることができれば、どのような接着剤であってもよい。
【００３９】
前記各実施形態では、布６，６Ａは、絹糸を目の粗い平織りにした布であったが、絹糸ではなく、木綿糸（ガーゼ）や、ナイロン、ポリウレタン、アセテート、ポリエステル、キュプラ、レーヨン等であってもよい。また、布として、リネン（亜麻布）や晒、ちりめん、ゴムなど伸縮素材が編み込まれた布などであってもよい。厚めの生地を有する布の場合、例えば漆が沁みないように薄い伸びのない機械漉和紙を布の両面に貼り付けることで、木に漆を塗ったような造花体を形成することができる。要するに、布は、造花が備える造花体において、両面に紙が貼り付けられ、紙にて挟み込むことができる布であれば、どのような布であってもよい。
【００４０】
前記第１実施形態では、花弁２を作成するための台紙７は、２枚の和紙４と、和紙４と略同一の面積を有する布６と、を用い、前記第２実施形態では、花弁２Ａを作成するための台紙７Ａは、２枚の和紙４と、和紙４よりも小さい面積を有する布６Ａと、を用いていたが、台紙における布は、略同一の面積、または小さい面積を有していなくてもよく、紙より大きい面積を有していてもよい。要するに、台紙における布は紙に対してどのような面積を有していてもよく、台紙から作成される造花体における布は、紙と同一の面積、または紙よりも小さい面積を有し、紙にて覆われていればよい。
【００４１】
前記各実施形態では、造花１，１Ａの花弁２，２Ａは、布６，６Ａを和紙４で挟み込んで一体にした状態で透光性を有していたが、造花体は、透光性を有していなくてもよい。すなわち、紙と接着剤と布とは、透光性を有していなくてもよい。また、造花体は、一部分だけ透光性を有していてもよい。例えば、光を透かすことで模様やマークが浮かび上がるようにしてもよいし、透光性の度合を調節することで明暗により模様を形成するようにしてもよい。要するに、造花体は、布の両面に紙を貼り付け、布を紙にて挟み込むようにして形成され、造花体における布は、紙にて覆われていればよい。
【産業上の利用可能性】
【００４２】
以上のように、本発明は、造花に好適に利用できる。
【符号の説明】
【００４３】
１，１Ａ…造花，２，２Ａ…花弁（造花体），４…和紙（紙），５…接着剤，６，６Ａ…布
【図１】
2019199654.tif 000003
【図２】
2019199654.tif 000004
【図３】
2019199654.tif 000005
【図４】
2019199654.tif 000006